(57)【特許請求の範囲】
【請求項１】
液圧マスタシリンダのシリンダ孔に設けたカップシール装着溝に、カップシールを装着させるためのカップシール装着用治具であって、前記シリンダ孔に挿入される円筒状の保持筒と、該保持筒の先端下半部に固着され、前記カップシールの下部を前記保持筒の先端部に保持する第１係止部材と、前記保持筒の上半部に軸方向にスライド可能に設けられ、前記カップシールの上部を前記保持筒の先端部と保持筒内とに出し入れする第２係止部材とを備えていることを特徴とする液圧マスタシリンダのカップシール装着用治具。
【請求項２】
前記第１係止部材は、前記保持筒の先端下半部に固着される半円筒状の固着部材と、該固着部材の先端側に設けられ、前記カップシールの下部を保持する第１係止溝と、前記保持筒の内部に延出するガイド棒とを備え、前記第２係止部材は、前記ガイド棒に沿って前記保持筒の上半部をスライドするスライド部材と、該スライド部材の先端側に設けられ、前記カップシールの上部を保持する第２係止溝と、前記スライド部材をスライドさせるスライド軸とを備えていることを特徴とする請求項１記載のカップシール装着用治具。
【請求項３】
前記第１係止部材は、前記保持筒から外方に突出する円盤状の先端フランジ部を備え、該先端フランジ部の中心部から前記保持筒の内方に前記ガイド棒を突出させ、前記固着部材と前記先端フランジ部との間に前記第１係止溝を形成し、前記ガイド棒の上面にガイド溝を形成すると共に該ガイド溝に連続して前記先端フランジ部に切欠き部を形成し、前記第２係止部材は、先端部に前記切欠き部に挿入される爪部と、前記ガイド溝に挿入されるガイド部とを有する爪部材を備え、前記ガイド部と前記スライド部材とを連結し、該スライド部材と前記爪部との間に前記第２係止溝を形成することを特徴とする請求項２記載のカップシール装着用治具。
【請求項４】
前記スライド軸は、前記保持筒の軸方向の長さよりも長く形成され、先端が前記スライド部材の基端側に取り付けられると共に、基端が前記保持筒の基端部より外側に突出し、前記スライド部材を介して前記爪部材をガイド溝に沿ってスライドさせ、前記保持筒は、先端側に、前記固着部材と前記スライド部材とを収容可能な大径孔を、基端側に、前記ガイド棒を挿通可能なガイド棒挿通孔と、前記スライド軸を挿通可能なスライド軸挿通孔とをそれぞれ備えていることを特徴とする請求項３記載のカップシール装着用治具。
【請求項５】
前記保持筒の外周面に、前記シリンダ孔の開口端部に当接して、該シリンダ孔に対する前記保持筒の挿入量を規制する位置決め用リング部材を着脱可能に設けたことを特徴とする請求項１乃至４のいずれか１項記載の液圧マスタシリンダのカップシール装着用治具。
【請求項６】
請求項１乃至５のいずれか１項に記載の液圧マスタシリンダのカップシール装着用治具を用いて、前記カップシール装着溝に、前記カップシールを装着させるカップシール装着方法であって、前記第２係止部材を前記保持筒の上方に配置し、該保持筒の先端側にスライドさせて、前記保持筒の先端部から突出した前記第２係止部材に、カップシールの上部を係止させるカップシール係止工程と、前記第２係止部材を前記保持筒内に引き込み、前記第２係止部材に係止させた前記カップシールの上部を保持筒内に引き込むと共に、カップシールの下部を、前記第１係止部材に係止させるカップシール引込み工程と、該カップシール引込み工程終了後の前記保持筒を、前記シリンダ孔内に挿入して、前記カップシール装着溝に対応する位置に前記第１係止部材を配置させる保持筒挿入工程と、該保持筒挿入工程終了後、前記第２係止部材をスライドさせて、前記保持筒の先端部から突出させ、前記カップシールの弾発力により、該カップシールを前記カップシール装着溝に装着させるカップシール装着工程とを順次行うことを特徴とするカップシール装着方法。
【発明の詳細な説明】
【技術分野】
【０００１】
本発明は、液圧マスタシリンダのシリンダ孔に設けたカップシール装着溝に、カップシールを装着させるためのカップシール装着用治具及びカップシール装着方法に関する。
【背景技術】
【０００２】
従来、プランジャタイプでタンデム型の液圧マスタシリンダでは、シリンダ孔の開口部側に第１プランジャが２つのカップシールを介して摺動可能に内挿されると共に、シリンダ孔の底部側に第２プランジャが２つのカップシールを介して摺動可能に内挿されている。第１プランジャのカップシールは、シリンダ孔に設けられた第１液通孔のシリンダ孔底部側とシリンダ孔開口側とに形成されたカップシール装着溝にそれぞれ装着され、第２プランジャのカップシールは、シリンダ孔に設けられた第２液通孔のシリンダ孔底部側とシリンダ孔開口側とに形成されたカップシール装着溝にそれぞれ装着されていた（例えば、特許文献１参照。）。
【先行技術文献】
【特許文献】
【０００３】
【特許文献１】特開２００８−１４９７４３号
【発明の概要】
【発明が解決しようとする課題】
【０００４】
しかし、上述の特許文献のものでは、シリンダ孔の内径が小さいことから、カップシール装着溝にカップシールを装着させることが容易ではなかった。特に、シリンダ孔底部側に配置される第２プランジャのカップシールを装着させるカップシール装着溝は、シリンダ孔開口部からの距離が長いことから、手作業での組み付けが困難であった。さらに、カップシールの外径はシリンダ孔の内径よりも大きく形成されていることから、カップシールを組み付ける際に、シリンダ孔に摺接してカップシールが傷む虞があった。
【０００５】
そこで本発明は、シリンダ孔にカップシールを良好に装着させることができる液圧マスタシリンダのカップシール装着用治具及びカップシール装着方法を提供することを目的としている。
【課題を解決するための手段】
【０００６】
上記目的を達成するため、本発明の液圧マスタシリンダのカップシール装着用治具は、液圧マスタシリンダのシリンダ孔に設けたカップシール装着溝に、カップシールを装着させるためのカップシール装着用治具であって、前記シリンダ孔に挿入される円筒状の保持筒と、該保持筒の先端下半部に固着され、前記カップシールの下部を前記保持筒の先端部に保持する第１係止部材と、前記保持筒の上半部に軸方向にスライド可能に設けられ、前記カップシールの上部を前記保持筒の先端部と保持筒内とに出し入れする第２係止部材とを備えていることを特徴としている。
【０００７】
また、前記第１係止部材は、前記保持筒の先端下半部に固着される半円筒状の固着部材と、該固着部材の先端側に設けられ、前記カップシールの下部を保持する第１係止溝と、前記保持筒の内部に延出するガイド棒とを備え、前記第２係止部材は、前記ガイド棒に沿って前記保持筒の上半部をスライドするスライド部材と、該スライド部材の先端側に設けられ、前記カップシールの上部を保持する第２係止溝と、前記スライド部材をスライドさせるスライド軸とを備えていると好ましい。
【０００８】
さらに、前記第１係止部材は、前記保持筒から外方に突出する円盤状の先端フランジ部を備え、該先端フランジ部の中心部から前記保持筒の内方に前記ガイド棒を突出させ、前記固着部材と前記先端フランジ部との間に前記第１係止溝を形成し、前記ガイド棒の上面にガイド溝を形成すると共に該ガイド溝に連続して前記先端フランジ部に切欠き部を形成し、前記第２カップ保持部材は、先端部に前記切欠き部に挿入される爪部と、前記ガイド溝に挿入されるガイド部とを有する爪部材を備え、前記ガイド部と前記スライド部材とを連結し、該スライド部材と前記爪部との間に前記第２係止溝を形成すると良い。
【０００９】
また、前記スライド軸は、前記保持筒の軸方向の長さよりも長く形成され、先端が前記スライド部材の基端側に取り付けられると共に、基端が前記保持筒の基端部より外側に突出し、前記スライド部材を介して前記爪部材をガイド溝に沿ってスライドさせ、前記保持筒は、先端側に、前記固着部材と前記スライド部材とを収容可能な大径孔を、基端側に、前記ガイド棒を挿通可能なガイド棒挿通孔と、前記スライド軸を挿通可能なスライド軸挿通孔とをそれぞれ備えていると好適である。
【００１０】
さらに、前記保持筒の外周面に、前記シリンダ孔の開口端部に当接して、該シリンダ孔に対する前記保持筒の挿入量を規制する位置決め用リング部材を着脱可能に設けても良い。
【００１１】
さらに、本発明のカップシール装着方法は、前記液圧マスタシリンダのカップシール装着用治具を用いて、前記カップシール装着溝に、前記カップシールを装着させるカップシール装着方法であって、前記第２係止部材を前記保持筒の上方に配置し、該保持筒の先端側にスライドさせて、前記保持筒の先端部から突出した前記第２係止部材に、カップシールの上部を係止させるカップシール係止工程と、前記第２係止部材を前記保持筒内に引き込み、前記第２係止部材に係止させた前記カップシールの上部を保持筒内に引き込むと共に、カップシールの下部を、前記第１係止部材に係止させるカップシール引込み工程と、該カップシール引込み工程終了後の前記保持筒を、前記シリンダ孔内に挿入して、前記カップシール装着溝に対応する位置に前記第１係止部材を配置させる保持筒挿入工程と、該保持筒挿入工程終了後、前記第２係止部材をスライドさせて、前記保持筒の先端部から突出させ、前記カップシールの弾発力により、該カップシールを前記カップシール装着溝に装着させるカップシール装着工程とを順次行うことを特徴としている。
【発明の効果】
【００１２】
本発明の液圧マスタシリンダのカップシール装着用治具によれば、第２係止部材を保持筒の上方に配置してスライドさせ、保持筒の先端部から突出させ、第２係止溝にカップシールの上部を係止し、次いで、第２係止部材を保持筒内に引き込み、カップシールの上部を保持筒内に引き込むと共に、カップシールの下部を第１係止部材の第１係止溝に係止させる。この状態で、保持筒をシリンダ孔内に挿入して、カップシール装着溝に対向する位置に第１係止部材を配置し、第２係止部材をスライドさせて保持筒の先端部から突出させることにより、カップシールをカップシール装着溝の位置で、元の状態に復元させると共に、カップシールの弾発力によってカップシールをカップシール装着溝に装着させることができる。これにより、シリンダ孔の底部側に形成されたカップシール装着溝であっても、カップシールを簡単且つ確実に装着することができ、作業性の向上を図ることができる。さらに、カップシールをシリンダ孔に挿入する際に、カップシールがシリンダ孔に摺接することがないので、カップシールが傷む虞がない。
【００１３】
また、第１係止部材は、保持筒の先端下半部に固着される半円筒状の固着部材と、該固着部材の先端側に設けられ、カップシールの下部を保持する第１係止溝と、前記保持筒の内部に延出するガイド棒とを備え、第２係止部材は、ガイド棒に沿って保持筒の上半部をスライドするスライド部材と、スライド部材の先端側に設けられ、前記カップシールの上部を保持する第２係止溝と、前記スライド部材をスライドさせるスライド軸とを備えていることから、第１係止溝と第２係止溝とで、カップシールを良好に係止させることができると共に、第２係止部材を良好にスライドさせることができる。
【００１４】
さらに、第１係止部材は、保持筒から外方に突出する円盤状の先端フランジ部を備え、先端フランジ部の中心部から保持筒の内方にガイド棒を突出させ、固着部材と先端フランジ部との間に第１係止溝を形成し、ガイド溝の上面にガイド溝を形成すると共に該ガイド溝に連続して前記先端フランジ部に形成される切欠き部形成し、第２係止部材は、先端部に切欠き部に挿入される爪部と、前記ガイド溝に挿入されるガイド部とを有する爪部材を備え、ガイド部とスライド部材とを連結し、スライド部材と爪部との間に第２係止溝を形成することにより、第１係止溝と第２係止溝とを簡単に形成することができると共に、第１係止溝と第２係止溝とでカップシールを確実に係止させることができる。
【００１５】
また、スライド軸は、スライド部材の基端側に取り付けられ、該スライド部材を介して前記爪部材をガイド溝に沿ってスライドさせ、保持筒は、先端側に、固着部材とスライド部材とを収容可能な大径孔を、基端側に、ガイド棒を挿通可能なガイド棒挿通孔と、スライド軸を挿通可能なスライド軸挿通孔とをそれぞれ備えていることにより、スライド軸や、ガイド棒を保持筒内の所定の位置に安定した状態で配置させることができると共に、スライド軸のスライド性を確保することができる。
【００１６】
さらに、保持筒の外周面に、シリンダ孔の開口端部に当接して、シリンダ孔に対する保持筒の挿入量を規制する位置決め用リング部材を着脱可能に設けたことにより、カップシールを、カップシール装着溝に対応する位置で確実に元の状態に復元させることができることから、カップシールを、カップシール装着溝に確実に装着させることができる。
【００１７】
また、本発明のカップシール装着方法によれば、上述のカップシール装着用治具を用いて、カップシール係止工程と、カップシール引込み工程と、保持筒挿入工程と、カップシール装着工程とを順次行うことにより、簡単な工程でカップシールをカップシール装着溝に装着することができ、作業性の向上を図ることができる。
【図面の簡単な説明】
【００１８】
【図１】本発明の一形態例を示すカップシール装着用治具の断面図である。
【図２】同じくカップシール装着用治具の要部断面図である。
【図３】図２のIII-III断面図である。
【図４】同じくカップシール装着用治具の分解斜視図である。
【図５】カップシールを装着した状態の液圧マスタシリンダの断面図である。
【図６】カップシール係止工程の説明図である。
【図７】カップシール引込み工程の説明図である。
【図８】保持筒挿入工程の説明図である。
【図９】カップシール装着工程の説明図である。
【発明を実施するための形態】
【００１９】
図１乃至図４は、本発明のカップシール装着用治具の一形態例を示すもので、本形態例のカップシール装着用治具は、図５に示されるようなプランジャタイプでタンデム型の液圧マスタシリンダに、カップシールを組み付ける際に用いられる。
【００２０】
液圧マスタシリンダ１は、シリンダ本体２に有底のシリンダ孔３が形成され、シリンダ本体２には、シリンダ孔３のシリンダ軸方向中間部に開口する第１出力ポート４と、シリンダ孔３の底部側に開口する第２出力ポート５とが形成されている。
【００２１】
また、シリンダ本体２は、上部に一対のボス部２ａ，２ｂが突設され、両ボス部２ａ，２ｂには、シリンダ孔３に連通する第１液通孔６ａと第２液通孔６ｂとがそれぞれ連設され、該ボス部２ａ，２ｂには、グロメットシール７ａ，７ｂを介してリザーバ８が取り付けられる。
【００２２】
シリンダ孔３には、開口側に第１プランジャ９がカップシール１０，１１を介して摺動可能に内挿されると共に、底部側に第２プランジャ１２がカップシール１３，１４を介して摺動可能に内挿される。前記カップシール１０，１１は、シリンダ孔３の第１液通孔６ａのシリンダ孔底部側とシリンダ孔開口側とに形成されたカップシール装着溝３ａ，３ｂに装着され、前記カップシール１３，１４は、シリンダ孔３の第２液通孔６ｂのシリンダ孔底部側とシリンダ孔開口側とに形成されたカップシール装着溝３ｃ，３ｄに装着される。
【００２３】
前記プランジャ９，１２には、シリンダ孔底部側に第１凹部９ａ，１２ａが、シリンダ孔開口側に第２凹部９ｂ，１２ｂがそれぞれ形成されている。第１プランジャ９の第２凹部９ｂにはプッシュロッド１５が挿入され、第１プランジャ９の第１凹部９ａと第２プランジャ１２の第２凹部１２ｂとの間には、シリンダ軸方向中間部に設けた第１出力ポート４と前記第１液通孔６ａとに通じる第１液圧室１６が、第２プランジャ１２の第１凹部１２ａとシリンダ孔の底壁３ｅとの間には、シリンダ孔底部側に設けた第２出力ポート５と前記第２液通孔６ｂとに通じる第２液圧室１７がそれぞれ画成される。
【００２４】
第１液圧室１６には、略円筒状の第１リテーナ１８と、該第１リテーナ１８内に挿通され、先端の頭部１９ａを第１リテーナ１８の先端部に係止し、基部を第１係着板２０に固着させた第１ガイドピン１９と、第１プランジャ９をシリンダ孔開口側に付勢する第１リターンスプリング２１とを備えた第１スプリング機構２２が配設される。また、第２液圧室１７にも、第１液圧室１６に配設した第１スプリング機構２２と同様に、略円筒状の第２リテーナ２３と、該第２リテーナ２３内に挿通され、先端の頭部２４ａを第２リテーナ２３の先端部に係止し、基部を第２係着板２５に固着させた第２ガイドピン２４と、第２プランジャ１２をシリンダ孔開口側に付勢する第２リターンスプリング２６とを備えた第２スプリング機構２７が配設される。また、組み付け時には、シリンダ孔３に形成されたカップシール装着溝３ａ，３ｂ，３ｃ，３ｄに、カップシール装着用治具３０を用いて、カップシール１０，１１，１３，１４がそれぞれ装着される。
【００２５】
図１乃至図４に示されるように、本形態例のカップシール装着用治具３０は、シリンダ孔３内に移動可能に内挿される円筒状の保持筒３１と、保持筒３１の先端下半部に固着され、カップシール１０，１１，１３，１４の下部を保持筒３１の先端側に保持する第１係止部材４１と、保持筒３１の上半部に、軸方向にスライド可能に設けられ、カップシール１０，１１，１３，１４の上部を、保持筒３１の先端部と保持筒内とに出し入れする第２係止部材５１とで構成されている。
【００２６】
第１係止部材４１は、保持筒３１の先端部から外方に突出する円盤状の先端フランジ部４２と、該先端フランジ部４２の中心部から、保持筒３１の基端部まで延出するガイド棒４３と、保持筒３１の先端部内側に配置されガイド棒４３の先端側を保持筒３１に固着する固着部材４４と、固着部材４４の先端面４４ａと先端フランジ部４２との間に形成される第１係止溝４５とが、ガイド棒４３に形成され、第１係止部材４１のスライドをガイドするガイド溝４６と、ガイド溝４６に連続して先端フランジ部４２に形成される切欠き部４２ａとを備えている。
【００２７】
固着部材４４は、上面が平面となる半円筒状に形成され、上面の保持筒中心軸線方向に、ガイド棒４３を挿入する挿入溝４４ｂが形成され、該挿入溝４４ｂをガイド棒４３の下半部に、先端フランジ部４２から所定の間隔を空けた状態で挿入し、連結部材４７によりガイド棒４３の下半部に取り付けられる。また、固着部材４４の先端面４４ａの上端部には面取り部４４ｃが形成されている。このように取り付けられた固着部材４４は、先端面４４ａと保持筒３１の先端部とが面一となるとともに、固着部材４４の先端面４４ａと先端フランジ部４２との間に、前記第１係止溝４５が形成され、第１係止溝４５の基端側上面に前記面取り部４４ｃが配置される。
【００２８】
第２係止部材５１は、切欠き部４２ａに挿入される爪部５２ａと、ガイド溝４６にスライド可能に挿入されるガイド部５２ｂとを有する爪部材５２と、ガイド部５２ｂに取り付けられ、下面が平面となる半円筒状のスライド部材５３と、スライド部材５３の先端面５３ａと爪部５２ａとガイド部５２ｂとの間に形成される第２係止溝５４と、スライド部材５３の基端部に取り付けられスライド部材５３を介して爪部材５２をガイド溝４６に沿ってスライドさせるスライド軸５５とを備えている。
【００２９】
爪部材５２は、爪部５２ａとガイド部５２ｂとがＬ字状に一体形成され、ガイド部５２ｂは、ガイド溝４６の深さ寸法と同一の高さ寸法に形成される。ガイド部５２ｂは、上部にスライド部材５３が取り付けられ、ガイド部５２ｂと爪部５２ａの下面がガイド溝４６をスライドする。
【００３０】
スライド部材５３は、下面の保持筒中心軸線方向に、ガイド棒４３を挿入する挿入溝５３ｂが形成され、該挿入溝５３ｂをガイド部５２ｂの上部に配置し、連結部材５６，５６により、ガイド部５２ｂに取り付けられる。さらに、スライド部材５３の外周面には、スライド部材５３が保持筒内をスライドする際の通気部となる複数のスリット５３ｃが形成されている。また、スライド軸５５は、保持筒３１の軸方向の長さよりも長く形成され、先端がスライド部材５３の基端側に取り付けられると共に、基端が保持筒３１の基端部より外側に突出し、基端部には、摘み部５５ａが連結されている。
【００３１】
保持筒３１は、先端側に、固着部材４４とスライド部材５３とを収容可能な大径孔３１ａが、基端側に、ガイド棒４３を挿通可能なガイド棒挿通孔３１ｂと、スライド軸５５を挿通可能なスライド軸挿通孔３１ｃとがそれぞれ形成されると共に、ガイド棒挿通孔３１ｂ内に挿通されたガイド棒４３を保持筒３１に、取付ボルト３２によって固着している。また、保持筒３１の外周面には、シリンダ孔３の開口側端部２ｃに当接して、シリンダ孔３に対する保持筒３１の挿入量を規制する位置決め用リング部材５７が移動可能に設けられている。
【００３２】
次に、図６乃至図９に基づいて、上述のカップシール装着用治具３０を用いて、最もシリンダ孔底部側に配置されるカップシール装着溝３ｄに、カップシール１４を装着する手順を説明する。
【００３３】
まず、図６に示すように、位置決め用リング５７を使用する際には、保持筒３１の外周面の所定位置に位置決め用リング部材５７を移動させて固定した後、第２係止部材５１を保持筒３１の上方に配置し、スライド軸５５をスライドさせて、第２係止溝５４を保持筒３１の先端部から突出させ、該第２係止溝５４にカップシール１４を係止させるカップシール係止工程を行う。
【００３４】
次に、図７に示すように、第２係止部材５１のスライド軸５５を保持筒３１の基端部側にスライドさせ、第２係止溝５４に係止させたカップシール１４の上部を保持筒内に引き込むと共に、カップシール１４の下部を第１係止溝４５に係止させるカップシール引込み工程を行う。
【００３５】
さらに、図８に示すように、位置決め用リング部材５７がシリンダ孔３の開口側端部２ｃに当接するまで、保持筒３１をシリンダ孔内に挿入し、カップシール装着溝３ｄに対応する位置に、第１係止溝４５を配置させる保持筒挿入工程を行う。
【００３６】
保持筒挿入工程終了後、図９に示すように、スライド軸５５を保持筒３１の先端側にスライドさせ、第２係止溝５４が保持筒３１の先端部から突出した時に、カップシール１４がスライド部材５３の先端面５３ａで押されてカップシール装着溝１４に対応する位置で、元の状態に復元すると共に、その弾発力でカップシール装着溝３ｄに装着されるカップシール装着工程を行う。
【００３７】
さらに、他のカップシール装着溝３ａ，３ｂ，３ｃにカップシール１０，１１，１３をそれぞれ装着させる際には、保持筒３１の外周面の所定位置に位置決め用リング部材５７を移動させ、保持筒３１のシリンダ孔３への挿入量をそれぞれ調整して、シリンダ孔３の底部側から順に、上述の工程を繰り返すことにより、各カップシールを各カップシール装着溝に順次装着させることができる。
【００３８】
上述のように、本形態例のカップシール装着用治具３０によれば、シリンダ孔３の底部側に形成されたカップシール装着溝３ｄであっても、カップシール１４を簡単且つ確実に装着することができ、作業性の向上を図ることができる。さらに、カップシール１４をシリンダ孔３に挿入する際に、カップシール１４がシリンダ孔３に摺接することがないので、カップシール１４が傷む虞がない。また、カップシール引込み工程では、第２係止溝５４に係止させたカップシール１４の上部を保持筒内に引き込む際に、カップシール１４の下部は、第１係止溝４５の基端側となる固着部材４４の先端面４４ａの上部側に押し付けられるが、先端面４４ａの上端部に面取り部４４ｃが形成されていることにより、カップシール１４を傷める虞がない。
【００３９】
また、スライド軸５５は、スライド部材５３の基端側に取り付けられ、該スライド部材５３を介して爪部材５２をガイド溝４６に沿ってスライドさせ、さらに、保持筒３１は、先端側に、固着部材４４とスライド部材５３とを収容可能な大径孔３１ａが、基端側に、ガイド棒４３を挿通可能なガイド棒挿通孔３１ｂと、スライド軸５５を挿通可能なスライド軸挿通孔３１ｃとを備えていることから、スライド軸５５のスライドが安定し、爪部材５２を良好にスライドさせることができる。
【００４０】
さらに、保持筒３１の外周面に、前記シリンダ孔３の開口側端部２ｃに当接して、該シリンダ孔３に対する保持筒３１の挿入量を規制する位置決め用リング部材５７を移動可能に設けたことにより、カップシール１４をカップシール装着溝３ｄに対応する位置で確実に元の状態に復元させることができ、カップシール１４をカップシール装着溝３ｄに確実に装着させることができる。また、シリンダ孔内に複数のカップシールを装着する際に、位置決め用リング部材５７の位置を変えることにより、１つのカップシール装着用治具３０で複数のカップシールの装着作業を行うことができる。
【００４１】
さらに、本発明のカップシール装着方法によれば、上述のカップシール装着用治具を用いて、カップシール係止工程と、カップシール引込み工程と、保持筒挿入工程及びカップシール装着工程を順次行うことにより、簡単な工程で各カップシールをカップシール装着溝にそれぞれ装着することができ、作業性の向上を図ることができる。
【００４２】
尚、本発明は、上述の形態例に限らず、第１係止部材のガイド棒の長さは任意であり、また、ガイド棒を省略することもできる。さらに、先端フランジ部を省略し、固着部材の先端部に第１係止溝を形成するＬ字状の部材を取り付けることもできる。さらに、第２係止部材のスライド軸を、爪部材のガイド部の基端側に取り付けることもでき、保持筒にガイド棒挿通孔やスライド軸挿通孔を形成していなくても良い。また、保持筒に位置決め用リング部材を移動可能に設けたものに限らず、位置決め用リング部材を省略することもでき、さらに、保持筒の外周面に目盛りや、目印を形成して、保持筒のシリンダ孔内への挿入量を規制するようにしたものでも良い。
【符号の説明】
【００４３】
１…液圧マスタシリンダ、２…シリンダ本体、２ａ，２ｂ…ボス部、２ｃ…開口側端部、３…シリンダ孔、３ａ，３ｂ，３ｃ，３ｄ…カップシール装着溝、４…第１出力ポート、５…第２出力ポート、６ａ…第１液通孔、６ｂ…第２液通孔、７ａ，７ｂ…グロメットシール、８…リザーバ、９…第１プランジャ、９ａ…第１凹部、９ｂ…第２凹部、１０，１１，１３，１４…カップシール、１２ａ…第１凹部、１２ｂ…第２凹部、１５…プッシュロッド、１６…第１液圧室、１７…第２液圧室、１８…第１リテーナ、１９…第１ガイドピン、１９ａ…頭部、２０…第１係着板、２１…第１リターンスプリング、２２…第１スプリング機構、２３…第２リテーナ、２４…第２ガイドピン、２４ａ…頭部、２５…第２係着板、２６…第２リターンスプリング、３０…カップシール装着用治具、３１…保持筒、３１ａ…大径孔、３１ｂ…ガイド棒挿通孔、３１ｃ…スライド軸挿通孔、３２…取付ボルト、４１…第１係止部材、４２…先端フランジ部、４２ａ…切欠き部、４３…ガイド棒、４４…固着部材、４４ａ…先端面、４４ｂ…挿入溝、４４ｃ…面取り部、４５…第１係止溝、４６…ガイド溝、４７…連結部材、５１…第２係止部材、５２…爪部材、５２ａ…爪部、５２ｂ…ガイド部、５３…スライド部材、５３ａ…先端面、５３ｂ…挿入溝、５３ｃ…スリット、５４…第２係止溝、５５…スライド軸、５５ａ…摘み部、５６…連結部材、５７…位置決め用リング部材
【図１】
0005717667.tif 000002
【図２】
0005717667.tif 000003
【図３】
0005717667.tif 000004
【図４】
0005717667.tif 000005
【図５】
0005717667.tif 000006
【図６】
0005717667.tif 000007
【図７】
0005717667.tif 000008
【図８】
0005717667.tif 000009
【図９】
0005717667.tif 000010